(57)【特許請求の範囲】
【請求項１】
吊り部材を介して躯体天井部に支持される複数の野縁受けと、上方に拡開した両側上端部の内方に逆Ｕ字状溝を有する複数のチャンネル状野縁とを、野縁受けに取り付けられる野縁受け取付け部と、その垂下部の両端側に、前記逆Ｕ字状溝内に挿入させて野縁を支持受けするよう上方に折曲された野縁係止片とを有する野縁固定金具を介して支持するに、
前記野縁受け取付け部は、く字状に折曲形成され、その上部に、野縁受け幅内の中間位置から上方に立ち上がり、立上り幅を２分位置で折曲変姿可能に形成された立上り片と、該立上り片から裏面側の野縁受けに達するく字状に折曲する野縁受け挟持片を備えて構成され、
前記野縁係止片を前記逆Ｕ字状溝内に挿入支持させた状態から、前記野縁受け取付け部を野縁受けに面当てし、前記立上り片を野縁受け裏面側に押圧折曲させて野縁受け挟持片を野縁受けに仮組付け可能とし、
前記折曲されて対面する立上り片同士をビス固定することで、野縁受け取付け部と野縁受け挟持片とにより野縁受けを挟持すべく構成せしめたことを特徴とする野縁固定金具。
【請求項２】
請求項１において、既設の天井下地における野縁の既設固定金具を、前記野縁固定金具を用いて耐震補強するに、
前記野縁係止片を、その支持端部が既設係止片の支持端部と同一となるよう並設せしめて野縁を支持受けするよう形成すると共に、
該野縁係止片を前記逆Ｕ字状溝内に挿入支持させた状態から、前記野縁受け取付け部を、野縁受けに表面側から裏面側に折曲されて取り付けられた既設取付け部に重合せしめ、
前記立上り片同士をビス固定することで、野縁受け取付け部と野縁受け挟持片とにより既設取付け部を外嵌して野縁受けに挟圧させ、かつ、野縁係止片を、既設係止片と共同して隣接支持受けさせることで、既設固定金具を耐震補強することを特徴とする野縁固定金具。
【請求項３】
請求項１において、前記野縁係止片は、野縁受けの下面域側に配設すると共に、その支持受け幅を野縁受けと略同幅寸法に形成されていることを特徴とする野縁固定金具。
【請求項４】
請求項１乃至３の何れかにおいて、前記立上り片は、その２分位置となる折曲部位で略Ｌ字状に形成されていることを特徴とする野縁固定金具。
【請求項５】
請求項１乃至４の何れかにおいて、前記野縁係止片は、それぞれ外方に傾斜せしめて逆ハ字状に形成し、前記逆Ｕ字状溝内に挿入して支持受けした際に、その上端となる板厚内側角部を線当接させて野縁の長手方向への滑り止めが成されるべく構成されていることを特徴とする野縁固定金具。
【請求項６】
請求項１乃至５の何れかにおいて、前記野縁受け取付け部の垂下部両端側をハ字状に傾斜する傾斜辺に形成し、前記逆Ｕ字状溝を形成する野縁の両折曲片の先端を、野縁の幅方向へのガタツキを規制すべく、傾斜辺に沿って自重案内させて当接支持可能に構成されていることを特徴とする野縁固定金具。
【請求項７】
請求項６において、前記野縁の両折曲片は、その先端を、前記傾斜辺と傾斜する野縁係止片とにより形成される略Ｖ字状の折曲片挿入溝で支持せしめたことを特徴とする野縁固定金具。
【請求項８】
既設の天井下地において、野縁受けに表面側から裏面側に折曲されて取り付けられた逆Ｌ字状の既設取付け部の垂下部両端側に一体形成されて、上方に拡開したチャンネル状野縁の上端部の両側内方に形成された逆Ｕ字状溝内に挿入された既設係止片によって野縁を支持受けさせた野縁の既設固定金具を、新たな野縁固定金具を用いて耐震補強するに、
前記野縁固定金具を、既設取付け部に重合支持されるく字状に折曲された野縁受け取付け部と、その垂下両側端部に、前記逆Ｕ字状溝内に挿入させて既設係止片と並設して野縁を支持受けする上方に折曲せしめた野縁係止片と、前記野縁受け取付け部の上部側に、野縁受け幅内の中間位置から上方に立ち上がり、立上り幅を２分位置で折曲変姿可能に形成された立上り片と、該立上り片から裏面側の野縁受けに達するく字状に折曲された野縁受け挟持片とで一体形成せしめて構成し、
前記野縁係止片を前記逆Ｕ字状溝内に挿入支持させた状態から、前記野縁受け取付け部を既設取付け部に面接し、前記立上り片を野縁受け裏面側に押圧折曲させて野縁受け挟持片を野縁受けに仮組付けし、
前記折曲されて対面する立上り片同士をビス固定することで、野縁受け取付け部と野縁受け挟持片とにより既設取付け部を外嵌して野縁受けに挟圧させ、野縁係止片を、既設係止片と共同して隣接支持受けせしめることを特徴とする既設天井下地における野縁の耐震補強構造。
【発明の詳細な説明】
【技術分野】
【０００１】
本発明は、シングル固定タイプの野縁固定金具および、シングル固定タイプにて施工された既設天井下地における野縁の耐震補強構造に関する。
【背景技術】
【０００２】
一般に、在来天井は、吊り部材（吊りボルト、吊りワイヤ等）を介して躯体天井部に支持される複数の野縁受け（チャンネル材）と、野縁固定金具（挟込み固定タイプ、シングル固定タイプ等）を介して野縁受けに支持される複数のチャンネル状の野縁と、野縁にビス止めされる天井パネルとから構成される。
挟込み固定タイプの野縁固定金具は、主に予め耐震性が求められる建物の天井下地に用いられ（特許文献１、図４、図６参照）、それ以外の建物の天井下地には、シングル固定タイプの野縁固定金具が用いられている（特許文献２、図１、図４（Ａ）、および特許文献３、図８参照）。
【０００３】
野縁固定金具は、野縁受けに取り付けられる逆Ｌ字状の野縁受け取付け部と、その垂下両側端部に、上方に拡開した野縁の上端部両側内方に形成された逆Ｕ字状溝内に挿入される上方に直角折曲させた野縁係止片とにより一体形成され、逆Ｕ字状溝内に挿入した野縁係止片の上端面で野縁を支持受けするように構成されている。シングル固定タイプの野縁固定金具の野縁係止片は、単体使用となるため野縁受けの下面側に配設されたものが採用され、特許文献２の図４（Ｂ）の如きに野縁受け外方に向けて配設されたものは採用されていない。
挟込み固定タイプの野縁固定金具は、指圧変形不能な板厚が約１．６ｍｍの厚板でプレス成型されたものを組として、野縁受けに挟み込ませてネジ止め固定して取り付けられており、野縁係止片も２カ所で野縁を支持受けするため、ジョイント強度や耐震強度が得られるものの、２枚を合わせ固定する作業が強いられ、取付け作業に時間を有するという問題がある。
【０００４】
しかしながら、従来のシングル固定タイプで採用されていた野縁固定金具は、挟込み固定タイプのものに比し板厚が０．６ｍｍ程度の指圧変形可能な薄板でプレス成型されており、横向きに配設された野縁受けに対して、その拡開側で野縁受け取付け部の先端側を、手で折り込ませて折曲しただけの簡単な取り付け方法が採用され、しかも、単体で野縁を支持受けしているため、取付け作業時間の短縮は図られるものの、地震の揺れによって変形し易く、野縁受けとのジョイントにガタツキを生じ、野縁の支持受け機能にも支障をきたし、ジョイント強度は勿論、耐震強度が極めて劣るという問題がある。そこで近年、その様な天井下地における野縁の耐震強度を更に向上させることが求められるが、天井下地における野縁の耐震強度を向上させる方法としては、例えば、従来の挟込み固定タイプのものを採用して強度アップをすることも考えられるが、既設の野縁固定金具を取り外す大規模な工事が必要となり、そのまま採用することはできないという問題がある。一方、野縁受けに取り付けられた既設の野縁固定金具にそのまま採用することも考えられるが、それではシングル固定タイプの取付け作業性の良さが無くなり、過剰品質となってしまうため、その作業性を維持しつつ、耐震強度を向上させることができ、かつ、耐震機能を有していない既設の野縁固定金具に対しても耐震補強機能を持たせることのできる野縁固定金具の出現が望まれていた。
【特許文献１】実登３０１９９８８号公報
【特許文献２】特開２００６−００９４９５号公報
【特許文献３】特開平０８−３３８１００号公報
【発明の開示】
【発明が解決しようとする課題】
【０００５】
本発明は、上記の如き問題点を一掃すべく創案されたものであって、シングル固定タイプの野縁固定金具でありながら、挟込み固定タイプで用いられる野縁固定金具と同様の指圧変形不能な厚板材を採用できるようにし、野縁受けへの取り付けに当たっては、仮組付けした状態から位置合わせ調整やビス止め作業による本固定が行えるようにし、取付け作業を簡略化して、新設工事や既設補強工事の如何を問わず作業性及び効率を向上させることができるばかりか、既設天井下地における耐震機能を持たない単体で取り付けられた既設固定金具に対して、その表面を覆うように野縁固定金具を密着重合させる取付けが行え、地震等の揺れを生じても、その野縁受け取付け部と野縁受け挟持片とによって、既設取付け部を外嵌狭圧し、野縁受けに対してしっかりと固定させてジョイント強度を向上させ、ガタツキ発生を防止しすることができると共に、隣接並設された野縁係止片が既設係止片の変形応力を受け止めて変形を抑止して、その野縁支持受け機能の維持を図り、既設固定金具との共同作用により、天井下地全体の耐震強度を向上させることを可能ならしめることができる野縁固定金具および既設天井下地における野縁の耐震補強構造を提供することにある。
【課題を解決するための手段】
【０００６】
上記課題を解決するために本発明が採用した野縁固定金具は、吊り部材を介して躯体天井部に支持される複数の野縁受けと、上方に拡開した両側上端部の内方に逆Ｕ字状溝を有する複数のチャンネル状野縁とを、野縁受けに取り付けられる野縁受け取付け部と、その垂下部の両端側に、前記逆Ｕ字状溝内に挿入させて野縁を支持受けするよう上方に折曲された野縁係止片とを有する野縁固定金具を介して支持するに、前記野縁受け取付け部は、く字状に折曲形成され、その上部に、野縁受け幅内の中間位置から上方に立ち上がり、立上り幅を２分位置で折曲変姿可能に形成された立上り片と、該立上り片から裏面側の野縁受けに達するく字状に折曲する野縁受け挟持片を備えて構成され、前記野縁係止片を前記逆Ｕ字状溝内に挿入支持させた状態から、前記野縁受け取付け部を野縁受けに面当てし、前記立上り片を野縁受け裏面側に押圧折曲させて野縁受け挟持片を野縁受けに仮組付け可能とし、前記折曲されて対面する立上り片同士をビス固定することで、野縁受け取付け部と野縁受け挟持片とにより野縁受けに挟持すべく構成せしめたことを特徴とするものである。
また、上記課題を解決するために本発明が採用した既設天井下地における野縁の耐震補強構造は、既設の天井下地において、野縁受けに表面側から裏面側に折曲されて取り付けられた逆Ｌ字状の既設取付け部の垂下部両端側に一体形成されて、上方に拡開したチャンネル状野縁の上端部の両側内方に形成された逆Ｕ字状溝内に挿入された既設係止片によって野縁を支持受けさせた野縁の既設固定金具を、新たな野縁固定金具を用いて耐震補強するに、前記野縁固定金具を、既設取付け部に重合支持されるく字状に折曲された野縁受け取付け部と、その垂下両側端部に、前記逆Ｕ字状溝内に挿入させて既設係止片と並設して野縁を支持受けする上方に折曲せしめた野縁係止片と、前記野縁受け取付け部の上部側に、野縁受け幅内の中間位置から上方に立ち上がり、立上り幅を２分位置で折曲変姿可能に形成された立上り片と、該立上り片から裏面側の野縁受けに達するく字状に折曲された野縁受け挟持片とで一体形成せしめて構成し、前記野縁係止片を前記逆Ｕ字状溝内に挿入支持させた状態から、前記野縁受け取付け部を既設取付け部に面接し、前記立上り片を野縁受け裏面側に押圧折曲させて野縁受け挟持片を野縁受けに仮組付けし、前記折曲されて対面する立上り片同士をビス固定することで、野縁受け取付け部と野縁受け挟持片とにより既設取付け部を外嵌して野縁受けに挟圧させ、野縁係止片を、既設係止片と共同して隣接支持受けせしめることを特徴とするものである。
【発明の効果】
【０００７】
本発明は、上記のように構成したことにより、シングル固定タイプの野縁固定金具でありながら、挟込み固定タイプのものと同様の指圧変形不能な厚板材を採用することができ、野縁受けへの取り付けに当たっては、天井下地の新規施工は勿論、既設天井下地の補強工事であっても、野縁の既設固定金具にセットして、折曲変姿可能に形成された立上り片を手で押圧するだけの簡単な操作で仮組付け固定が行え、この仮組付けした状態から、位置合わせ調整や対面する立上り片同士をビス止めする本固定作業が容易に行えるようになり、取付け作業を簡略化して、補強工事の作業性及び効率を向上させることができるばかりか、耐震機能を持たない単体で取り付けられた野縁の既設固定金具に対して、その表面を覆うように密着重合した取付けができるので、地震等の揺れを生じても、野縁受け取付け部と野縁受け挟持片とによって、既設取付け部を確実に外嵌狭圧して変形させた状態で、野縁受けに対してしっかりと固定させた補強を行うことができ、ジョイント強度が向上されて、ガタツキ発生を防止しすることができると共に、隣接並設させた垂下部を含む野縁係止片が既設係止片の上下や横方向への変形応力を受け止めてその変形を抑止し、野縁を逆Ｕ字状溝内で共同して支持受けできるようになり、その支持受け強度を向上させることができる。その結果、耐震補強用として用いられる野縁固定金具の補強機能により、既設固定金具自体の支持受け機能の維持が図られ、両者の共同作用により、天井下地全体の耐震強度を向上させることができる。
【発明を実施するための最良の形態】
【０００８】
以下、本発明の実施の形態を好適な実施の形態として例示する既設天井下地における野縁の耐震補強金具および耐震補強構造を図面に基づいて詳細に説明する。
図１の（Ａ）は、本発明の実施形態に係る既設天井部の要部断面図、（Ｂ）は、Ａ矢視図である。この図に示すように、天井部１は、吊り部材２を介して躯体天井部３に支持される複数の野縁受け４と、野縁受け４の端部を支持する野縁受け固定金具４１と、野縁の既設固定金具５を介して野縁受け４に支持される複数の野縁７と、野縁７にビス止めされる天井パネル８とを備える。なお、既設固定金具５は、表面側と裏面（開口）側とに交互に配設されている。
【０００９】
吊り部材２は、例えば、躯体天井部３から垂下する吊りボルト９と、吊りボルト９の下端部に上下位置調整可能に連結される野縁受けハンガー１０とから構成される。すなわち、野縁受け４は、野縁受けハンガー１０によって支持されると共に、吊りボルト９に対する野縁受けハンガー１０の位置変更によって、上下位置が調整される。
【００１０】
野縁受け４は、側方に拡開したチャンネルからなり、天井部１に所定の間隔を存して並列状に割り付けされる。このとき、野縁受け４は、躯体壁部１１に当接しない短めの長さに予め加工され、その両端部が野縁受け固定金具４１を介して躯体壁部１１に固定される。
【００１１】
野縁７は、上方に拡開した上部両側内方に折曲片７１ａを折曲形成させた逆Ｕ字状溝７１を有するチャンネルからなり、野縁受け４と直交するように、天井部１に所定の間隔を存して並列状に割り付けされる。野縁７としては、幅寸法が異なるダブル野縁やシングル野縁があり、それぞれ野縁７の既設固定金具５を介して野縁受け４で支持される。そして、天井部１に割り付けられた野縁７間に天井パネル８を渡し、これをビス止めすることにより、既設の天井部１が完成する。
【００１２】
野縁の既設固定金具５は、図２に示すように、０．６ｍｍの薄板材を用いて、野縁受け４に表面側から裏面（開口）側にその先端側を折り込ませて取り付けられる逆Ｌ字状の既設取付け部５１と、既設取付け部５１の垂下部５１ａ両端側に野縁受け４の下面域側に折曲形成されて、逆Ｕ字状溝７１内に挿入された既設係止片５２と、既設取付け部５１の中央に補強リブとを有して、プレス成型により一体形成されている。これにより、逆Ｕ字状溝７１内に既設係止片５２を挿入して、野縁７を支持受けした際に、垂下部５１ａの両側端部と既設係止片５２との間に形成される凹状挿入溝５３に折曲片７１ａが遊挿されるようになっている。
【００１３】
次に、本発明の要部である野縁固定金具６について、図３〜図７を参照して説明する。図３の（Ａ）は、野縁固定金具の正面図、（Ｂ）は、野縁固定金具の側面図、（Ｃ）は、野縁固定金具の部分背面図、図４は、野縁固定金具の既設天井下地への使用例を示す正面図、図５は、同じく野縁固定金具の既設天井下地への使用例を示す側断面図、図６の（Ａ）は、野縁固定金具の仮固定状態を示す側断面図、（Ｂ）は、野縁固定金具の本固定状態を示す側断面図、図７は、野縁固定金具の新設天井下地への使用例を示す側断面図である。
【００１４】
これらの図に示すように、野縁固定金具６は、１．６ｍｍの厚板材を用い、野縁受け４に取り付けられる垂直面と上方に傾斜する側面視く字状（逆Ｌ字状）に折曲された野縁受け取付け部６１と、その垂下部６１ａの下端側を折曲させて、その両端側に、上方に折曲された逆Ｕ字状溝７１内に挿入されて野縁７を支持受けする野縁係止片６２と、野縁受け取付け部６１の上部に、野縁受け４の幅内の中間位置から上方に立ち上がり、立上り幅を２分する位置に折曲部６３ａで折曲変姿可能に形成された立上り片６３と、該立上り片６３から裏面側の野縁受けに達するＬ字状の野縁受け挟持片６４を備えて、一体形成されている。また、垂下部６１ａには、野縁受け４にドリルビス固定するためのビス孔６１ｂが穿設されている。
【００１５】
立上り片６３は、折曲部６３ａを介して平面状（面一状）に形成して出荷するようにしても良いが、本実施例では、折曲部６３ａで予め略９０゜折曲させて、野縁固定金具６全体として側面視逆Ｌ字状に形成すると共に、折曲部６３ａは、両側に幅狭の連結片６３１を残して打ち抜き形成されており、野縁受け４への取付けに際し、この折曲部６３ａだけを手で折曲操作し安くなっている。また、立上り片６３には、折曲部６３ａを線分して、折曲された立上り片６３同士が対面する中央の対称位置にビス固定できるようビス孔６３ｂが穿設されている。
【００１６】
野縁係止片６２は、既設係止片５２の略３倍の支持受け幅を有し、それぞれ外方に傾斜せしめて逆ハ字状に形成されており、逆Ｕ字状溝７１内に挿入して野縁７を支持受けした際に、その上端となる板厚内側角部を線当接させて、野縁７の自重や天井パネル８の自重で長手方向への滑り止めが成されるべく構成されている。
また、野縁係止片６２が設けられた垂下部６１ａの両端側をハ字状に傾斜する傾斜辺６１ｃに形成し、逆Ｕ字状溝７１を形成する野縁７の両折曲片７１ａの先端を、傾斜辺６１ｃに沿って自重案内させて当接支持可能に構成される。この傾斜辺６１ｃは、直線状や湾曲状（ノ字状）に形成されるが、図３（Ｃ）に示すように、垂下部６１ａの下端を折曲させて野縁係止片６２が形成された側（正面側）が背面側よりも小さい円弧をもって刃状に形成されており、折曲片７１ａの先端を天井パネル８を含む自重により、しっかりと噛み込み係合して挟持されるようになっている。
つまり、野縁７の幅寸法や折曲片７１ａの折曲寸法は、厳密に規定されるものではなく、所定の範囲で融通し得るため、野縁７の両折曲片７１ａは、その先端を、傾斜辺６１ｃと外方に傾斜する野縁係止片６２とにより形成される略Ｖ字状の折曲片挿入溝６５で支持することにより、野縁７の幅方向へのガタツキを規制して、建付け誤差および振動を吸収することができる。
【００１７】
このように構成された野縁固定金具６を、新設天井下地の施工に使用する場合には、図７に示すように、従来のシングル固定タイプのものと同様に、野縁係止片６２を野縁受け４の下面域側に配設し、特に、その支持受け幅を略同幅寸法をもって形成させて、野縁受け取付け部６１や野縁受け挟持片６４を野縁受け４の縦・横幅に適合してく字状（逆Ｌ字状）に折曲して形成されている。この様に形成すると、野縁受け４の略下面全域幅内で野縁受け４の下面域と野縁係止片６２との間で、逆Ｕ字状溝７１の上辺を挟み込んで野縁７を支持受けできるので、地震等の揺れを生じても、両者間における共同挟持作用により、上下や横方向への変形応力を均等に受け止めてガタツキ規制でき、その耐震強度が向上された耐震構造を得ることができる。さらに、既設の天井下地においても、既設固定金具５（既設係止片５２）が配設されていない側の野縁受け４に対向配設させた仕様態様で取付けすることも可能となり、野縁係止片６２を、既設係止片５２に近接または当接する幅寸法に形成して並設することができ、更に、両側野縁係止片６２間の幅を、両側既設係止片５２間の内法幅寸法に設定して既設係止片５２とオーバーラップ（重合）状態で並設することが可能となる。
【００１８】
また、既設の天井下地の施工に使用する場合には、既設固定金具５の既設係止片５２が野縁受け４の下面域側に配設されているので、この既設係止片５２と背反する野縁受け４の外方側に野縁係止片６２を形成する。立上り片６３は、野縁受け４横幅の既設固定金具５の板厚（肉厚）やリブ厚分を考慮して配置形成することが好ましいが、特に、野縁受け取付け部６１は、く字状に折曲形成されているので、その上方に折曲する傾斜面で、既設取付け部に面当てした際、野縁受け４の縦幅寸法、つまり、既設係止片５２の上端部から既設取付け部５１の角部までの長さの寸法誤差を吸収することができ、また、野縁受け挟持片６４も狭圧できるので、立上り片６３同士が必ずしも密着する必要はなく、形状変更が強いられるものではない。なお、この様に形成した野縁固定金具６を、既設固定金具５（既設係止片５２）が配設されていない側の野縁受け４に対向配設させて使用することもできる。
【００１９】
叙述の如く構成された本発明の実施例の形態において、いま、吊り部材２を介して躯体天井部３に支持される複数の野縁受け４と、上方に拡開した両側上端部の内方に逆Ｕ字状溝７１を有する複数のチャンネル状野縁７とを、野縁受け４に取り付けられる野縁受け取付け部６１と、その垂下部６１ａの両端側に、逆Ｕ字状溝７１内に挿入させて野縁７を支持受けするよう上方に折曲された野縁係止片６２とを有する野縁固定金具６を介して支持するのであるが、本発明の野縁固定金具６は、野縁受け取付け部６１が、く字状に折曲形成され、その上部に、野縁受け４幅内の中間位置から上方に立ち上がり、立上り幅を２分位置で折曲変姿可能に形成された立上り片６３と、該立上り片６３から裏面側の野縁受け４に達するく字状に折曲する野縁受け挟持片６４を備えて構成され、野縁係止片６２を逆Ｕ字状溝７１内に挿入支持させた状態から、野縁受け取付け部６１を野縁受け４に面当て（既設固定金具５への間接面当てを含む）し、立上り片６３を野縁受け４の裏面側に押圧折曲させて野縁受け挟持片６４を野縁受け４に仮組付け可能とし、折曲されて対面する立上り片６３同士をビス固定することで、野縁受け取付け部６１と野縁受け挟持片６４とにより野縁受け４に挟持するように構成されている。
【００２０】
この様に構成すると、シングル固定タイプの野縁固定金具６でありながら、挟込み固定タイプのものと同様の指圧変形不能な厚板材を採用することができ、野縁受け４への取り付けに当たっては、天井下地の新規施工は勿論、既設天井下地の補強工事であっても、野縁の既設固定金具５にセットして、折曲変姿可能に形成された立上り片６３を手で押圧するだけの簡単な操作で仮組付け固定が行え、この仮組付けした状態から、位置合わせ調整や対面する立上り片同士をビス止めする本固定作業が容易に行えるようになり、取付け作業を簡略化して、補強工事の作業性及び効率を向上させることができるばかりか、耐震機能を持たない単体で取り付けられた野縁７の既設固定金具５に対して、その表面を覆うように密着重合できるので、地震等の揺れを生じても、野縁受け取付け部６１と野縁受け挟持片６４とによって、既設取付け部５１を確実に外嵌狭圧して変形させた状態で、野縁受け４に対してしっかりと固定させた補強を行うことができ、ジョイント強度が向上されて、ガタツキ発生を防止しすることができると共に、隣接並設させた垂下部６１ａを含む野縁係止片６２が既設係止片５２の上下や横方向への変形応力を受け止めてその変形を抑止し、野縁７を逆Ｕ字状溝７１内で共同して支持受けできるようになり、その支持受け強度を向上させることができる。その結果、耐震補強用として用いられる野縁固定金具６だけでなく既設固定金具５自体にも耐震補強機能をもたせて、両者の共同作用により、天井下地全体の耐震強度を向上させることができる。
【００２１】
つまり、既設の天井下地における野縁７の既設固定金具５を、野縁固定金具６を用いて具体的に耐震補強するには、野縁係止片６２を、その支持端部が既設係止片５２の支持端部と同一となるよう並設せしめて野縁７を支持受けするよう、既設係止片５２に背反して形成させておき、新設時と同様に、野縁係止片６２を逆Ｕ字状溝７１内に挿入支持させた状態から、野縁受け取付け部６１を、野縁受け４に表面側から裏面側に折曲されて取り付けられた既設取付け部５１に重合せしめ、立上り片６３同士を対向するビス孔６３ｂを介してビス固定することで、野縁受け取付け部６１と野縁受け挟持片６４とにより既設取付け部５１を外嵌して野縁受け４に挟圧させ、かつ、野縁係止片６２を、既設係止片５２と共同して隣接支持受けさせ、必要においてビス孔６１ｂ位置でドリルビスを用いて野縁受け４に固定することで、既設固定金具５を耐震補強すればよい。
【００２２】
この様に狭圧された既設取付け部５１は、図６（Ｂ）に示す如く、野縁受け４に密着変形され、ガタツキや位置ズレが確実に規制された状態で強固に固定され、既設取付け部５１に対する耐震補強を確実に行うことができる。そのため、地震等の揺れを生じて野縁受け４が幅方向へ振動負荷を生じた際に、野縁７は長手方向への振動負荷を受けることとなるが、図中、野縁７が左方向の横揺れを受けて既設係止片５２に振動負荷が生じても、隣接する垂下部６１ａが垂下部５１ａの振動応力を受け止めると共に、野縁係止片６２が既設係止片５２の略３倍の広幅な支持受け幅を有しており、この野縁係止片６２の野縁７への支持受け機能が発揮され、垂下部５１ａおよび既設係止片５２の変形を抑止し、特に、垂下部５１ａ側の支持受け機能を保持することができる。また、図中、野縁７が右方向の横揺れを受けた際には、野縁係止片６２だけで野縁７の振動負荷を受け止めることができ、既設係止片５２に何ら振動負荷が加わらず、これを回避することができ、既設固定金具５の野縁７への支持受け耐震強度を補強することができる。
【００２３】
また、野縁係止片６２は、野縁受け４の下面域側に配設すると共に、その支持受け幅を野縁受け４と略同幅寸法に設定して形成されているので、野縁受け４の略下面全域幅内で野縁受け４の下面域と野縁係止片６２との間で、逆Ｕ字状溝７１の上辺を挟み込んだ状態で野縁７を支持受けできるので、地震等の縦揺れや横揺れを生じても、両者間における共同挟持作用により、上下や横方向への変形応力を均等に受け止めてガタツキが規制され、支持受け状態を好適に維持することができ、耐震強度が向上された耐震構造を得ることができる。
このため、新設天井への使用は勿論、既設天井に適用して、野縁固定金具６を、既設固定金具５（既設係止片５２）が配設されていない側の野縁受け４に対向配設させて使用する場合でも、特に、野縁係止片６２を、既設係止片５２に近接または当接する幅寸法に形成して並設することができ、更に、両側野縁係止片６２間の幅を、両側既設係止片５２間の内法幅寸法に設定して既設係止片５２とオーバーラップさせ、両者の上端が重合して支持受けする状態で並設することが可能となる。その結果、地震等の揺れを生じて野縁受け４が幅方向へ振動負荷を生じた際に、野縁係止片６２が既設係止片５２を受け止めて変形を抑止すると共に、支持受け幅が既設係止片５２の略３倍の寸法を有する野縁係止片６２が主体となって野縁７を支持することができ、既設係止片５２への振動負荷を抑止し、既設固定金具５自体を補助してその支持受け機能を維持し得て、両者の共同作用により、天井下地全体の耐震強度を向上させることができる。
【００２４】
また、立上り片６３は、その２分位置となる折曲部６３ａの部位で略Ｌ字状に形成されており、折曲部６３ａは、両側に幅狭の連結片６３１を残して打ち抜き形成されているので、厚板材を用いても、野縁受け４への取付けに際し、手で折曲操作し安くなっている。
【００２５】
また、野縁係止片６２は、それぞれ外方に傾斜せしめて逆ハ字状に形成されており、逆Ｕ字状溝７１内に挿入して野縁７を支持受けした際に、その上端となる板厚内側角部を線当接させて、野縁７の自重や天井パネル８の自重で長手方向への滑り止めが成されるべく構成されているので、従来の既設固定金具５の既設係止片５２を垂直に立ち上がり、その上端をＬ字状に形成し、板厚面を面当接させて支持受けしたものに比し、ガタツキ無く施工することができ、地震等の揺れを生じても、野縁係止片６２の上端となる板厚内側角部が、逆Ｕ字状溝７１内でその線当接して支持受けする機能により、野縁７の滑りや揺動を抑止し支持受けする位置ズレを効果的に防止することができ、耐震に対する支持受けの補強機能を向上させ、既設係止片５２の変形応力を受け止めてその変形を抑止しすることができる。
【００２６】
また、野縁受け取付け部６１の垂下部６１ａの両端側をハ字状に傾斜する傾斜辺６１ｃに形成し、逆Ｕ字状溝７１を形成する野縁７の両折曲片７１ａの先端を、野縁の幅方向へのガタツキを規制すべく、傾斜辺６１ｃに沿って自重案内させて当接支持可能に構成されているので、両折曲片７１ａの先端は、結局、傾斜辺６１ｃと傾斜する野縁係止片６２とにより形成される略Ｖ字状の折曲片挿入溝６５で支持させることができる。したがって、従来の既設固定金具５の様に、垂下部５１ａの両側端部を垂直辺とし、既設係止片５２を垂直に立ち上がり形成させて、垂下部５１ａの垂直辺と既設係止片５２との間に形成される凹状挿入溝５３に、野縁７の折曲片７１ａを何ら支持することなく遊挿させて、野縁７を既設係止片５２だけで支持受けするようにしたものに比し、野縁７をその逆Ｕ字状溝７１内で野縁係止片６２により支持受けできるだけけでなく、野縁係止片６２の板厚内側角部が線当接されて長手方向への滑り止めが成される一方、野縁７の両折曲片７１ａの先端が、鉛直部両側の刃状の円弧傾斜辺６１ｃに沿って自重案内されて対向接当し、野縁７の幅方向へのガタツキを防止すると共に、野縁７の自重と天井パネル８の荷重により、野縁係止片６２と刃状の傾斜辺６１ｃにより形成されるＶ字状の折曲片挿入溝６５内間にしっかりと噛み込み係合して挟持され、野縁７の幅方向と長手方向への位置ズレが規制される位置決め機能を果たすことができ、既設係止片５２の変形応力を受け止めてその変形を抑止しすることができる。
【図面の簡単な説明】
【００２７】
【図１】（Ａ）は、本発明の実施形態に係る既設天井部の要部断面図、（Ｂ）は、Ａ矢視図である。
【図２】野縁の既設固定金具の取付け状態を示す斜視図である。
【図３】（Ａ）は、野縁固定金具の正面図、（Ｂ）は、野縁固定金具の側面図、（Ｃ）は、野縁固定金具の部分背面図である。
【図４】野縁固定金具の既設天井下地への使用例を示す正面図である。
【図５】野縁固定金具の既設天井下地への使用例を示す側断面図である。
【図６】（Ａ）は、野縁固定金具の仮固定状態を示す側断面図、（Ｂ）は、野縁固定金具の本固定状態を示す側断面図である。
【図７】野縁固定金具の新設天井下地への使用例を示す側断面図である。
【符号の説明】
【００２８】
１      天井部
２      吊り部材
３      躯体天井部
４      野縁受け
４１    固定金具
５      野縁の既設固定金具
５１    既設取付け部
５１ａ  垂下部
５２    既設係止片
５３    凹状挿入溝
６      野縁固定金具
６１    野縁受け取付け部
６１ａ  垂下部
６１ｂ  ビス孔
６１ｃ  傾斜辺
６２    野縁係止片
６３    立上り片
６３ａ  折曲部
６３ｂ  ビス孔
６３１  連結片
６４    挟持片
６５    折曲片挿入溝
７      野縁
７１    逆Ｕ字状溝
７１ａ  折曲片
８      天井パネル
９      ボルト
１０    ハンガー
１１    躯体壁部
【図１】
0005696929.tif 000002
【図２】
0005696929.tif 000003
【図３】
0005696929.tif 000004
【図４】
0005696929.tif 000005
【図５】
0005696929.tif 000006
【図６】
0005696929.tif 000007
【図７】
0005696929.tif 000008